【手続補正書】
【提出日】平成28年6月3日(2016.6.3)
【手続補正１】
【補正対象書類名】特許請求の範囲
【補正対象項目名】全文
【補正方法】変更
【補正の内容】
【特許請求の範囲】
【請求項１】
脚装置を左右に一対配置して天板を支持し、該脚装置には前後に一対の垂直な脚柱を備えてなるテーブルにおいて、前記天板の左右一側で前記脚装置の上部に、前後の縦支杆と、該両縦支杆を連結する横支杆とからなるパネルフレームを配置し、該パネルフレームの両縦支杆と前記両脚柱を外形が連続するように上下に連結してなることを特徴とするテーブル。
【請求項２】
前記パネルフレームの横支杆と天板との間にモニター等を取付ける懸架部材を設けるとともに、該パネルフレームとその下方の前記脚装置のうち、少なくともパネルフレームには、前記懸架部材の外側位置にパネル板を装着してなる請求項１記載のテーブル。
【請求項３】
前記天板には、一側部で前記脚装置の両脚柱に対応する位置に開口を形成し、該開口に挿入した支持金具を介して前記脚柱と前記パネルフレームの縦支杆を連結してなる請求項１又は２記載のテーブル。
【請求項４】
前記天板には、一側部で前記脚装置の両脚柱に対応する位置にそれぞれ開口を形成し、該開口に挿入した支持金具を介して前記脚柱と前記パネルフレームの縦支杆を連結し、更に前記天板の両開口の間にスリット孔を形成し、前記懸架部材の下端を該スリット孔内に嵌合するとともに、鍔付きの保持金具を前記天板の下方から前記スリット孔に嵌合して前記懸架部材の下端を隠蔽した状態で、該天板の下面に取付けてなる請求項１又は２記載のテーブル。
【請求項５】
前記パネル板は、外側パネル板と内側パネル板とからなり、外側パネル板は前記懸架部材の外側に位置し、内側パネル板は前記懸架部材の内側に位置し、内側パネル板の中央部に設けた開口部により前記懸架部材を露出させてなる請求項２記載のテーブル。
【手続補正２】
【補正対象書類名】明細書
【補正対象項目名】全文
【補正方法】変更
【補正の内容】
【発明の詳細な説明】
【発明の名称】テーブル
【技術分野】
【０００１】
本発明は、テーブルに係わり、更に詳しくは天板上の一側にモニター等を取付ける機能を備えたテーブルに関するものである。
【背景技術】
【０００２】
通常、テーブルの天板を支持する脚装置は、天板へ取付ける取付板に脚柱を垂下固着した構造のものが一般的である。あるいは、金属パイプを用いて側面視倒コ字形に形成した脚部材を左右に配置して、天板の下面に固定した構造のテーブル、金属角パイプを屈曲させて側面視倒コ字形に形成した脚部材を左右に配置し、両脚部材を連結して一体となった脚フレームを構成し、その上にガラス天板を載置する構造のテーブルも各種提供されている。
【０００３】
特許文献１には、断面長方形の金属製角パイプ状の杆体で形成した構造脚柱を、取付板の下面中央部に溶接によって垂下固着し、天板の隅部に取付板を取付けた際に、構造脚柱の幅広面が天板のコーナー部を向くように約４５度偏向させ、その構造脚柱の幅広面の外側に化粧脚柱を取付けた脚装置及びテーブルが開示されている。
【０００４】
特許文献２には、四角形の天板の隅部に丸パイプからなる脚柱を配置し、天板の短辺側の隅部の一対の脚柱の上端部間に、平面視Ｖ字形に屈曲した丸パイプからなる支持部を水平に連結し、該支持部に天板を載置して固定する構造のテーブルが開示されている。
【０００５】
特許文献３には、何れも断面形状が四角形の杆体からなる一対の垂直な脚柱と、該脚柱の下端間を連結した横杆とで構成し、前記脚柱及び横杆の面が、前記脚柱及び横杆の中心線を含む垂直面と水平面とに対して平行になっている脚装置が開示されている。
【先行技術文献】
【特許文献】
【０００６】
【特許文献１】特開平８−１１７０３３号公報
【特許文献２】特開２００６−１０２４２３号公報
【特許文献３】意匠登録第１２７６１７９号公報
【発明の概要】
【発明が解決しようとする課題】
【０００７】
しかしながら、脚柱の下端が遊端である脚構造は、横荷重に対して強度が低く、脚柱に過大な横荷重が加わると変形する恐れがある。そのため、脚柱の断面を大きくする等して脚柱の横方向強度を高める工夫がなされているが、意匠的には重たく、シャープ感がなくなる。また、天板の短辺側に位置する二本の脚柱の下端間を横杆で連結すれば、断面が小さな脚柱でも十分な横方向強度を確保できる構造になるが、意匠的には横杆の存在が重くなり、邪魔にもなる。特に、脚柱や横杆に丸パイプを用いた場合には、意匠的な工夫の余地は少ない。そして、断面形状が四角形の杆体からなる脚柱及び横杆の面が、垂直面と水平面とに対して平行になっている場合、横荷重に対して、特に幅広面の法線方向からの荷重に対して強度が弱い。
【０００８】
そこで、本発明が前述の状況に鑑み、解決しようとするところは、十分な支持強度を有する脚装置で支持された天板上の一側部にモニター等を取付ける機能を備えたテーブルを提供する点にある。
【課題を解決するための手段】
【０００９】
本発明は、前述の課題解決のために、脚装置を左右に一対配置して天板を支持し、該脚装置には前後に一対の垂直な脚柱を備えてなるテーブルにおいて、前記天板の左右一側で前記脚装置の上部に、前後の縦支杆と、該両縦支杆を連結する横支杆とからなるパネルフレームを配置し、該パネルフレームの両縦支杆と前記両脚柱を外形が連続するように上下に連結してなることを特徴とするテーブルを構成した（請求項１）。
【００１０】
更に、前記パネルフレームの横支杆と天板との間にモニター等を取付ける懸架部材を設けるとともに、該パネルフレームとその下方の前記脚装置のうち、少なくともパネルフレームには、前記懸架部材の外側位置にパネル板を装着してなることが好ましい（請求項２）。
【００１１】
ここで、前記天板には、一側部で前記脚装置の両脚柱に対応する位置に開口を形成し、該開口に挿入した支持金具を介して前記脚柱と前記パネルフレームの縦支杆を連結してなることも好ましい（請求項３）。
【００１２】
また、前記天板には、一側部で前記脚装置の両脚柱に対応する位置にそれぞれ開口を形成し、該開口に挿入した支持金具を介して前記脚柱と前記パネルフレームの縦支杆を連結し、更に前記天板の両開口の間にスリット孔を形成し、前記懸架部材の下端を該スリット孔内に嵌合するとともに、鍔付きの保持金具を前記天板の下方から前記スリット孔に嵌合して前記懸架部材の下端を隠蔽した状態で、該天板の下面に取付けてなることも好ましい（請求項４）。
【００１３】
そして、前記パネル板は、外側パネル板と内側パネル板とからなり、外側パネル板は前記懸架部材の外側に位置し、内側パネル板は前記懸架部材の内側に位置し、内側パネル板の中央部に設けた開口部により前記懸架部材を露出させてなることも好ましい（請求項５）。
【発明の効果】
【００１４】
以上にしてなる請求項１に係る発明のテーブルは、脚装置を左右に一対配置して天板を支持し、該脚装置には前後に一対の垂直な脚柱を備えてなるテーブルにおいて、前記天板の左右一側で前記脚装置の上部に、前後の縦支杆と、該両縦支杆を連結する横支杆とからなるパネルフレームを配置し、該パネルフレームの両縦支杆と前記両脚柱を外形が連続するように上下に連結してなるので、天板の一側に様々な用途に利用できるパネルフレームを設けることができ、しかも脚装置とパネルフレームの外形が統一され、また部品の共通化によりコスト上昇を抑制できる。
【００１５】
請求項２によれば、前記パネルフレームの横支杆と天板との間にモニター等を取付ける懸架部材を設けるとともに、該パネルフレームとその下方の前記脚装置のうち、少なくともパネルフレームには、前記懸架部材の外側位置にパネル板を装着してなるので、懸架部材にモニターを取付けて天板上のパソコンやタブレット等の電子情報機器からの情報を映し出してミーティングを行うことができ、あるいは遠隔地にいる参加者の映像を映し出して双方向通信によりテレビ会議を行うこともでき、しかもモニターの位置は天板の一側部であるので邪魔にならない。
【００１６】
請求項３によれば、前記天板には、一側部で前記脚装置の両脚柱に対応する位置に開口を形成し、該開口に挿入した支持金具を介して前記脚柱と前記パネルフレームの縦支杆を連結してなるので、開口を通して天板を貫通して脚装置の脚柱とパネルフレームの縦支杆を連結でき、パネルフレームの支持強度が高くなる。
【００１７】
請求項４によれば、前記天板には、一側部で前記脚装置の両脚柱に対応する位置にそれぞれ開口を形成し、該開口に挿入した支持金具を介して前記脚柱と前記パネルフレームの縦支杆を連結し、更に前記天板の両開口の間にスリット孔を形成し、前記懸架部材の下端を該スリット孔内に嵌合するとともに、鍔付きの保持金具を前記天板の下方から前記スリット孔に嵌合して前記懸架部材の下端を隠蔽した状態で、該天板の下面に取付けてなるので、懸架部材の支持強度が高くなるとともに、外観性の向上が図れる。
【００１８】
請求項５によれば、前記パネル板は、外側パネル板と内側パネル板とからなり、外側パネル板は前記懸架部材の外側に位置し、内側パネル板は前記懸架部材の内側に位置し、内側パネル板の中央部に設けた開口部により前記懸架部材を露出させてなるので、懸架部材の露出部に、液晶ディスプレイ等からなるモニターを取付けることができる。
【図面の簡単な説明】
【００１９】
【図１】本発明に係るテーブルの全体斜視図である。
【図２】同じくテービルの下方から見た斜視図である。
【図３】（ａ）は脚装置の脚柱部分の横断面図、（ｂ）は脚装置の横杆部分の縦断面図である。
【図４】脚装置を用いて構成した脚フレームの全体斜視図である。
【図５】同じく脚フレームの分解斜視図である。
【図６】脚装置を構成する脚柱と横杆の連結構造を示す分解斜視図である。
【図７】脚柱の上端に取付ける連結金具の斜視図である。
【図８】連結金具に取付ける受金具の斜視図である。
【図９】脚装置の下端に設けるアジャスターの分解斜視図である。
【図１０】左右一対の脚装置を支持部材で連結する構造を示す分解斜視図である。
【図１１】アジャスターを示す部分断面図である。
【図１２】同じくアジャスターの部分分解斜視図である。
【図１３】天板の一側にパネルフレームを取付ける構造を示す分解斜視図である。
【図１４】パネルフレームの横支杆と天板との間に懸架部材を取付けた状態の部分斜視図である。
【図１５】同じく懸架部材を天板に支持する構造を示す部分分解斜視図である。
【発明を実施するための形態】
【００２０】
次に、添付図面に示した実施形態に基づき、本発明を更に詳細に説明する。図１及び図２は本発明に係る脚装置を用いたテーブルを示し、図３〜図１５はその詳細を示し、図中符号１は脚装置、２は脚フレーム、３は天板、４はアジャスター、５はパネルフレーム、６は脚柱、７は横杆、８はコーナー継手、９は支持部材をそれぞれ示している。
【００２１】
本発明に係るテーブルは、図１及び図２に示すように、脚装置１，１を左右に一対配置し、前後側でそれぞれ対となった左右の脚柱６，６の上端間を支持部材９で連結して一体化構造の脚フレーム２を形成し、該脚フレーム２の支持部材９の上に天板３を載置して固定した構造であり、天板３の一側部に前記脚装置１に連続するようにパネルフレーム５を立設した構成である。
【００２２】
具体的には、前記脚装置１は、断面外形状が多角形の金属杆体からなる一対の垂直な脚柱６，６と、該脚柱６，６の下端間を連結する断面外形状が多角形の金属杆体からなる横杆７とよりなり、前記脚柱６及び横杆７の何れの面も、前記脚柱６，６及び横杆７の中心線を含む垂直面と水平面とに対して平行にならないように設定したことを特徴とする。ここで、垂直面とは、水平面に対して直交する面であり、鉛直面と同じ意味である。特に、前述の脚柱６，６及び横杆７の中心線を含む面を垂直面Ｖとする。また、水平面は床面を意味している。ここで、断面外形状が多角形の金属杆体は、金属角パイプあるいは中実の金属角棒であり、スチール製でもアルミニウム製でも構わない。金属杆体の断面外形状は、四角形が最も実用的であり、角数が増えると円形に近くなるので、本発明の特徴がなくなる。また、多角形でも正多角形ではなく偏平な多角形が良い。
【００２３】
更に詳しくは、前記脚装置１を構成する脚柱６と横杆７は、断面外形状が長方形の角パイプで形成し、該脚柱６の下端と横杆７の端部をコーナー継手８で直角に連結している。ここで、前記コーナー継手８は、ロストワックス法により製造した鋳造部品である。
【００２４】
ここで、図３に示すように、前記両脚柱６，６の幅広面の法線で張られる角度αが６０〜１２０度の範囲であり、前記横杆７の幅広面の法線と水平面Ｈで張られる角度をβとしたとき、β＝α／２の関係を満たすように、脚柱６と横杆７の捩れ具合を調整する。本実施形態では、α＝９０度、β＝４５度に設定している。角度αが６０度よりも小さいと、脚柱６と横杆７の幅広面が垂直面Ｖに接近するので、該垂直面Ｖに直交する方向からの横荷重に対して強度が低下する。また、角度αが１２０度よりも大きいと、脚柱６の幅広面が垂直面Ｖと直交する面に接近するとともに、横杆７の幅広面が水平面Ｈに接近するので、垂直面Ｖに沿った方向からの横荷重に対して強度が低下する。
【００２５】
そして、前記コーナー継手８又は前記横杆７の両端部の下側角部に、アジャスターボルト１０を垂直に螺合してアジャスター４を設けている。本実施形態では、図１１及び図１２に示すように、前記コーナー継手８の下側角部に螺孔１１を鉛直方向に形成し、該螺孔１１にアジャスターボルト１０を螺合するとともに、該アジャスターボルト１０の接地部とコーナー継手８の間に円筒状のスペーサ部材１２を介在させてボルトを隠蔽している。尚、前記アジャスター４は、床面の不陸を調整する機能というよりも、良好な接地部を形成するために設けたという意味合いが強い。
【００２６】
前記脚フレーム２は、図２及び図４に示すように、前記脚装置１，１を左右に一対配置し、前後側でそれぞれ対となった左右の脚柱６，６の上端間を支持部材９で連結して一体化構造としたものであり、該支持部材９には脚注６の上端からその幅広面の法線に沿って内向きに延びる水平斜杆１３と、両側の水平斜杆１３，１３の内側端同士を連結する左右方向に延びる水平連杆１４とを備え、前後の支持部材９，９の水平連１４，１４杆の間には所定の間隔を有している。
【００２７】
前記支持部材９の水平斜杆１３と水平連杆１４は、前記脚柱６と同一の角パイプを用い、該脚柱６から水平斜杆１３と水平連杆１４に外形を連続させている。つまり、前記支持部材９の水平斜杆１３と水平連杆１４の幅広面は、鉛直方向を向いている。そして、前記水平斜杆１３と水平連杆１４は、１８０−α／２の角度、本実施形態では１３５度の角度で屈曲している。このような支持部材９を作製するには、１本の角パイプを屈曲しても良く、また直線状の杆体部材を所定角度で突き合わせ溶接しても良い。
【００２８】
更に詳しくは、前記コーナー継手８は、図５及び図６に示すように、本体部１５の両端部に９０度の角度を設けて嵌合部１６，１６を段落ち状に形成したものである。前記コーナー継手８は、中央面に対して鏡面対称形であるので、全ての箇所で同一部材を用いることができる。前記アジャスター４を構成する螺孔１１は後加工で形成する。そして、前記コーナー継手８の嵌合部１６，１６の一方を前記脚柱６の下端に嵌入し、他方を前記横杆７の一端に嵌入する。そして、前記脚柱６の下端部と横杆７の一端部の側面に形成した孔１７，１７内に露出した前記嵌合部１６を溶接して一体化し、それから溶接部をサンダー仕上げをする。前記脚柱６と横杆７の外形は、前記コーナー継手８の本体部１５の外形に段差無く連続するようにしている。
【００２９】
図５、図７及び図８に示すように、前記脚装置１の両脚柱６，６の上端は、内側を向いた幅広面側を４５度の角度で切断している。そして、前記脚柱６の上端部に、側面視略Ｌ字形の連結金具１８の一端部を嵌合し、水平に延びた他端部に受金具１９を外被して溶接一体化する。前記受金具１９は、脚柱６と同じ角パイプを加工して形成し、端部に４５度の傾斜縁を形成し、前記脚柱６の傾斜縁と接合し、全周を溶接して一体化する。それから、図１０に示すように、各脚注６の上端に固定した前記受金具１９に、前記支持部材９の水平斜杆１３の端部下側に形成した切欠部２０を上方から接合して前記連結金具１８にネジ止めする。ここで、前記受金具１９の端部には、前記切欠部２０を接合して、外形が角パイプと同じになるように上半分を切欠し、前記連結金具１８の端部を露出させている。尚、本実施形態では、前記連結金具１８を鋼板で作製した２部材を組み合わせて形成したが、前記受金具１９とともに、コーナー継手８のようにロストワックス法により製造した一つの鋳造部品に置き換えても良い。しかし、前記脚装置１と支持部材９とは、在庫や搬送時の嵩だかを減らすために、着脱可能にする必要がある。
【００３０】
そして、このように構成した脚フレーム２の両支持部材９，９の幅広面の上面に天板３を載置し、該支持部材９を下方から貫通させたネジを天板３に螺合して連結する。
【００３１】
それから、図１、図１３〜図１５に示すように、前記天板３の一側で前記脚装置１の上部に、該脚装置１を上下反転させた構造の両縦支杆２１，２１と横支杆２２からなるパネルフレーム５を配置し、該パネルフレーム５の両縦支杆２１，２１と前記両脚柱６，６を外形が連続するように上下に連結する。そして、前記パネルフレーム５の横支杆２２と天板３との間にモニター等を取付ける懸架部材２３を設けるとともに、該パネルフレーム５とその下方の前記脚装置１のうち、少なくともパネルフレーム５で前記懸架部材２３の外側位置にパネル板２４を装着する。本実施形態では、前記パネルフレーム５の下方の脚装置１にもパネル板２５を装着している。
【００３２】
更に詳しくは、前記パネルフレーム５の縦支杆２１は、前記脚装置１の脚柱６に対応し、前記パネルフレーム５の横支杆２２は、前記脚装置１の横杆７に対応し、脚装置１と同様に縦支杆２１と横支杆２２とをコーナー継手８で連結している。前記天板３には、一側部で前記脚装置１の両脚柱６，６に対応する位置に開口２６，２６を形成するとともに、その間に短辺側に沿ってスリット孔２７を形成している。
【００３３】
そして、図１３に示すように、前記開口２６に支持金具２８を挿入して、該支持金具２８の底面板を前記受金具１９の上面にネジ止めして立起させる。前記懸架部材２３の上端は、図１３に示すように、前記パネルフレーム５の横支杆２２の下面部分に溶接して予め一体化している。そして、前記パネルフレーム５の両縦支杆２１，２１の下端部を前記支持金具２８，２８に嵌挿すると同時に、前記懸架部材２３の下端を前記スリット孔２７内に嵌合する。それから、前記天板３の下方から前記スリット孔２７に鍔付きの保持金具２９を嵌合して前記懸架部材２３の下端を隠蔽し、該天板３の下面に鍔部をネジ止めして取付ける。前記パネルフレーム５の抜止めは、該パネルフレーム５に装着するパネル板２４を支持するための金具を縦支杆２１に取付けることによって達成している。
【００３４】
前記パネル板２４は、外側パネル板と内側パネル板とからなり、外側パネル板は前記懸架部材２３の外側に位置し、内側パネル板は前記懸架部材２３の内側に位置し、内側パネル板の中央部に設けた開口部により前記懸架部材２３を露出させている。そして、前記懸架部材２３の露出部に、液晶ディスプレイ等からなるモニターＭを取付けることができるようになっている。また、前記脚装置１に装着する前記パネル板２５も外側パネル板と内側パネル板とからなり、両脚柱６，６と横杆７で囲まれる空間に金具で取付ける。
【００３５】
また、図１、図２、図１３〜図１５に示すように、前記パネルフレーム５より内側の天板３には、ダクト開口３０を開設し、該ダクト開口３０に開閉可能なダクトカバー３１を設けている。また、前記ダクト開口３０の下方の天板３の下面には、配線ダクト３２を取付けている。また、前記支持部材９よりも外側の天板３の下面に、コード受けや物品の収納として利用可能な収納部３３を取付けている。また、前記両支持部材９，９を利用して、配線ダクトや他の付属部品を取付けることも可能である。また、前記支持部材９の水平連杆１４が後退した位置にあるので、その前方に引出しユニットを装着することも可能である。
【符号の説明】
【００３６】
１  脚装置、              ２  脚フレーム、
３  天板、                ４  アジャスター、
５  パネルフレーム、      ６  脚柱、
７  横杆、                ８  コーナー継手、
９  支持部材、            １０  アジャスターボルト、
１１  螺孔、              １２  スペーサ部材、
１３  水平斜杆、          １４  水平連杆、
１５  本体部、            １６  嵌合部、
１７  孔、                １８  連結金具、
１９  受金具、            ２０  切欠部、
２１  縦支杆、            ２２  横支杆、
２３  懸架部材、          ２４  パネル板、
２５  パネル板、          ２６  開口、
２７  スリット孔、        ２８  支持金具、
２９  保持金具、          ３０  ダクト開口、
３１  ダクトカバー、      ３２  配線ダクト、
３３  収納部、
Ｈ  水平面、
Ｖ  垂直面、
Ｍ  モニター。